(57)【要約】      （修正有）【課題】受取人において従来よりもさらに高い付加価値を享受することができ、しかも、軽量かつコンパクトなメッセージカードを提供する。【解決手段】少なくとも片面にワイピングクロス２が配置されていることを特徴とするメッセージカード。メッセージカードには、極細繊維からなるワイピングクロス２に図柄、模様または色彩が付されたものが、周縁部を枠状シート３で覆われるように配置されている。とくにメッセージカードが絵葉書用紙１として用いられる際には、ワイピングクロス２は、宛先記入面とは反対側の面に配置される。【選択図】図１
0003150116.tif 000002
【実用新案登録請求の範囲】
【請求項１】
少なくとも片面にワイピングクロスが配置されていることを特徴とするメッセージカード。
【請求項２】
前記ワイピングクロスが極細繊維からなる、請求項１に記載のメッセージカード。
【請求項３】
前記ワイピングクロスには、図柄、模様または色彩が付されている、請求項１または２に記載のメッセージカード。
【請求項４】
絵葉書用紙からなる、請求項１〜３のいずれかに記載のメッセージカード。
【請求項５】
前記ワイピングクロスが、宛先記入面とは反対側の面に配置されている、請求項４に記載のメッセージカード。
【請求項６】
前記ワイピングクロスが、周縁部を枠状シートで覆われるように配置されている、請求項１〜５のいずれかに記載のメッセージカード。
【請求項７】
前記ワイピングクロスが配置されている面とは反対側の面に、切り起こし可能なスタンド脚部が設けられている、請求項１〜６のいずれかに記載のメッセージカード。
【考案の詳細な説明】
【技術分野】
【０００１】
本考案は、絵葉書や電報等に用いられるメッセージカードとして使用され、その効用を終えた後に、受取人において眼鏡拭き等として使用できるメッセージカードに関する。
【背景技術】
【０００２】
従来から、メッセージカードに付加価値を与える試みが多数なされてきている。例えば、特許文献１に記載の額縁付きハガキ体は、フレーム、マット、アクリルパネル、写真、ハガキ部を、ピンで留め合わせたものであり、写真などの額収納物が見えるように窓が形成されたマットを備えている。この額縁付きハガキ体は、内部に絵ハガキ、毛筆書、賞状、ポスター、押し花、お守りなど一般的に額縁に飾ることができるものを収納して、そのまま郵送するようにしたものである。
【先行技術文献】
【特許文献】
【０００３】
【特許文献１】特開平７−１４８０５６号公報
【考案の概要】
【考案が解決しようとする課題】
【０００４】
特許文献１に記載の額縁付きハガキ体においては、受取人がハガキ体を受け取った後は、そのまま額縁として使用することが想定されていた。また、この額縁付きハガキ体は、郵送中の衝撃に耐え得るようにプラスチック製の枠が設けられるなどの工夫がなされていたために、厚さや重さが比較的大きいものであった。
【０００５】
このような現状に鑑み、本考案の課題は、受取人において従来よりもさらに高い付加価値を享受することができ、しかも、軽量かつコンパクトなメッセージカードを提供することにある。
【課題を解決するための手段】
【０００６】
上記課題を解決するために、本考案に係るメッセージカードは、少なくとも片面にワイピングクロスが配置されていることを特徴とするものからなる。このようなメッセージカードによれば、絵葉書や電報等に用いられるメッセージカードとして使用され、差出人から受取人に送付された後にも、ワイピングクロス部分をメッセージカード本体から分離することにより、眼鏡、携帯電話、時計、宝石等に付着した油膜等を除去可能なワイピングクロスとしての効用を保持することが可能となる。
【０００７】
本考案に係るメッセージカードにおいて、上記ワイピングクロスが極細繊維からなるものとすることが好ましい。ワイピングクロスを極細繊維からなるものとすることにより、眼鏡レンズ表面の油膜等を、容易かつ効果的に除去することが可能となる。ここで極細繊維とは、具体的には単繊維繊度が０．００１デシテックス以上、１．０デシテックス以下である繊維をいい、とくにフィラメント（長繊維）であることが好ましい。また、極細繊維の材質は、ポリエステル系繊維または／およびポリアミド系繊維であることが好ましい。ここで、ポリエステル系繊維とは、ポリエチレンテレフタレート、ポリプロピレンテレフタレート、ポリブチレンテレフタレートおよびこれらの共重合体などからなる繊維をいう。また、ポリアミド系繊維とは、ナイロン４、ナイロン６、ナイロン６６およびこれらの共重合体などからなる繊維をいう。
【０００８】
本考案に係るメッセージカードにおいて、上記ワイピングクロスには、図柄、模様または色彩が付されていることが好ましい。例えば、メッセージカードの図柄としての写真がワイピングクロス上に印刷されることによって、印画紙等にプリントされた場合よりも温かみのある、独特の風合いを生じさせ、メッセージカードの受取人に特別な印象を与えることが可能となる。また、ワイピングクロスがメッセージカードから分離され、ワイピングクロスとして使用される際にも、無地のワイピングクロスよりもデザイン性に優れているため、持ち歩きやすいという利点が生じる。
【０００９】
本考案において、上記ワイピングクロスが、絵葉書用紙からなることが好ましい。この場合、上記ワイピングクロスは、絵葉書用紙の宛先記入面とは反対側の面に配置されていることが好ましい。宛先記入面と反対側の面にワイピングクロスを配置することにより、宛先記入面にワイピングクロスを配置した場合よりも、用紙全体の中でワイピングクロスの占める面積の割合を高めることが可能となる。
【００１０】
また、本考案のメッセージカードにおいて、上記ワイピングクロスが、周縁部を枠状シートで覆われるように配置されていることが好ましい。ワイピングクロスの周縁部が枠状シートで覆われることにより、メッセージカードが受取人に到達するまでの間にワイピングクロスがメッセージカードから脱落することが防止されるとともに、ワイピングクロス配置面が、額縁に収められた絵画のような外観を呈するようになり、デザイン性を向上させることができる。ワイピングクロスの配置方法としては、ワイピングクロスの一部をメッセージカードに接着剤等で貼付することも可能であるが、上記枠状シートの窓部を透明シートで塞ぐなどしてワイピングクロスの脱落を防止すれば、ワイピングシートをメッセージカードに接着等する必要がなくなる。
【００１１】
このような本考案のメッセージカードにおいては、上記ワイピングクロスが配置されている面とは反対側の面に、切り起こし可能なスタンド脚部が設けられていることが好ましい。メッセージカードの受取人において、上記スタンド脚部をメッセージカードから切り起こすことにより、メッセージカードを、例えば机の上などに飾って鑑賞することが可能となる。また、上記ワイピングクロスが配置されている面とは反対側の面には、上記スタンド脚部を形成するためのミシン線を設けておくことが好ましい。このようなミシン線を設けることにより、メッセージカードを受け取った受取人が、ミシン線に沿ってメッセージカードの一部を切り取るだけで容易にスタンド脚部を形成することが可能となる。
【考案の効果】
【００１２】
本考案のメッセージカードによれば、メッセージカードの一部分がワイピングクロスで構成されることにより、眼鏡拭きその他の広範な用途に使用できる便利なワイピングクロスを、差出人から受取人への贈り物として、メッセージカードに添えて送付することが可能となる。
【図面の簡単な説明】
【００１３】
【図１】本考案の一実施態様に係る絵葉書用紙の裏面を示す図である。
【図２】図１の絵葉書用紙の表面を示す図である。
【図３】本考案の他の実施態様に係る絵葉書用紙の表面を示す図である。
【考案を実施するための形態】
【００１４】
以下に、本考案の望ましい実施の形態について、図面を参照しながら詳細に説明する。
図１は、本考案の一実施態様に係るメッセージカードとしての絵葉書用紙１の裏面（宛先記入面とは反対側の面）を示す図である。絵葉書用紙１の裏面には、極細繊維からなり、模様が印刷されたワイピングクロス２が配置されており、その周縁部を枠状シート３が覆っている。また、ワイピングクロス２と枠状シート３の間に挟まれるように、透明シート４が枠状シート３に接着されている。枠状シート３の上端部にはミシン線５が設けられており、ミシン線５に沿って絵葉書用紙１の端部が切り取られると、ワイピングクロス２の取出し口が形成されるようになっている。この取出し口は、図１のように絵葉書用紙１の裏面のみに形成されるようにしてもよいし、絵葉書用紙１の表面のみに形成されるようにしてもよい。また、ミシン線５を絵葉書用紙１の表裏両面の対応する位置に設けることにより、絵葉書用紙１の端部が切断されるようにしてもよい。
【００１５】
また、図１において、絵葉書用紙１の周囲は、絵葉書用紙１の表面を形成するシートと枠状シート３とが接着されることにより封止されているので、ワイピングクロス２を絵葉書用紙１の内部に収納するだけで、ワイピングクロス２自体には接着剤を付着させることなく、ワイピングクロス２が絵葉書用紙１から脱落することが防止されている。そこで、ミシン線５に沿って絵葉書用紙の一部を切り取って上記取出し口を形成すると、絵葉書用紙１からワイピングクロス２を容易に取り出すことができる。ワイピングクロス２を取り出した後は、ワイピングクロス２は眼鏡拭き等に利用することができるとともに、ワイピングクロス２が分離された残りの絵葉書用紙１は、写真立てとして利用することができるようになる。
【００１６】
図２は、図１の絵葉書用紙１の表面（宛先記入面）を示す図である。絵葉書用紙１の中央部には宛先記入部６が設けられ、宛先記入部６の下方側には、ミシン線８で三方を囲まれた台形状のスタンド脚部７が設けられている。絵葉書の受取人が、ミシン線８に沿ってスタンド脚部７を切り起こすことによって、絵葉書用紙１が自立可能な構造を形成するようになるので、たとえば机や棚の上に絵葉書を飾ることが容易となる。
【００１７】
図３は、本考案の他の実施態様に係る絵葉書用紙１の表面（宛先記入面）を示す図である。絵葉書用紙１の上半分には宛先記入部６が設けられており、ワイピングクロス２は絵葉書用紙１の下半分に配置されている。図１と同様、ワイピングクロス２は絵葉書用紙１の裏面を形成するシートと枠状シート３との間に挟まれるように、透明シート４が枠状シート３に接着されている。
【産業上の利用可能性】
【００１８】
本考案に係るメッセージカードは、眼鏡拭き等として使用できる付加価値を備えたメッセージカードとして好適に用いられる。
【符号の説明】
【００１９】
１  絵葉書用紙
２  ワイピングクロス
３  枠状シート
４  透明シート
５、８  ミシン線
６  宛先記入部
７  スタンド脚部
【図１】
0003150116.tif 000003
【図２】
0003150116.tif 000004
【図３】
0003150116.tif 000005